(57)【特許請求の範囲】
【請求項１】
前面部に遊技領域が設けられた遊技盤を備える遊技機に装着される遊技機用部品であって、
遊技球を取り入れるための球取入部と、遊技球を取り出すための球取出部とを具備する部品本体と、
前記部品本体に回転可能に支持されつつ回転軸心を水平方向若しくは傾斜方向に配設した状態とされる回転通路部材と、
静止状態とされる前記回転通路部材の外周部上に前記回転軸心の方向に沿って遊技球を転動させる転動通路部を形成し、該転動通路部によって前記球取入部から前記部品本体に取り入れた遊技球を前記球取出部に向かって通過させるための球通路部若しくは該球通路部の一部を構成するとともに、回転状態の前記回転通路部材の外周部を摺接させて前記回転通路部材の外周部の清掃を行う清掃部材と、を備え、
前記回転通路部材の外形が中心軸を前記回転軸心と一致させた略正多角柱とされ、
前記回転通路部材の外周部を構成する一の面が、鉛直上方若しくは斜め上方から選択される特定方向に向けらときに、該一の面により前記転動通路部を構成するとともに、
前記回転通路部材の回転位置が前記回転通路部材の外周部を構成する何れかの面を前記特定方向に向ける回転位置になったときに係合する、係合部と被係合部とを備えることを特徴とする遊技機用部品。
【請求項２】
請求項１に記載の遊技機用部品を備えることを特徴とする遊技機。
【発明の詳細な説明】
【技術分野】
【０００１】
本発明は、遊技機用部材及び遊技機に関し、特に、いわゆるセブン機、羽根物、権利物等の弾球遊技機に適用されるものである。
【背景技術】
【０００２】
弾球遊技機は、通常、（１）設置部位に固定される外枠と、（２）外枠の左端側に開閉自在に取り付けられる本体枠（中枠）と、（３）本体枠の保持部によって、前面部を前方（遊技者方向）に向けた状態で、しかも、着脱自在な状態に保持される遊技盤と、（４）遊技盤の前面部を覆うガラス板を具備しつつ、左端側がヒンジ機構を介して本体枠の左端側に支持され、本体枠の前面部の前方に向かって開閉動作可能な状態とされるガラス扉枠（前面枠）と、（５）本体枠の前面部側のうちで、ガラス扉枠の装着位置よりも下方側の部位に、開閉可能な状態で装着される上皿部材と、（６）本体枠の前面部側のうちで、上皿部材の下方の部位に配置される下皿部材等を備えている。尚、遊技の実行時（遊技機の使用時）において、ガラス扉枠は、本体枠に対して閉鎖状態とされると共に、所定の施錠機構を介して、本体枠の右端側に施錠された状態とされる。
【０００３】
この遊技機を構成する遊技盤の前面部には、「外側レールと内側レールとを備えるレール部材」が前方に突出する状態に配置される。そして、このレール部材を構成する「領域レール部」を用いて遊技領域の略円形の外縁部（外周壁）を構成している。つまり、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールと、が配設される。
【０００４】
そして、遊技盤の前面部側において、外側レールと内側レールとが、略円形状、略楕円形状、若しくは略長円形状に取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。
【０００５】
また、本体枠の前方であって、遊技盤の下方の部位には、発射装置と、左上がり傾斜状の発射レールとが配置されている。そして、この遊技機においては、発射装置から打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００６】
この弾球遊技機が、例えば、セブン機である場合、遊技領域内に、始動入賞装置（始動口）と、大入賞装置と、を配設している。また、この弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果図柄の確定表示等を行う図柄表示手段（例えば、液晶表示装置等によって構成）と、を備えている。
【０００７】
この大入賞装置は、通常、入賞口（大入賞口）と、入賞口の開閉を行うための開閉部材と、当該入賞口を通じて入賞した遊技球を検出するための入賞球検出手段（入賞球検出スイッチ）と、を具備している。このうち、開閉部材は、通常、扉型に構成され、遊技盤の前面部に設けられる取付部に取付られている。この開閉部材は、下端部側に傾動支点を設けつつ、前後に傾動可能（回動可能）な状態とされている。この開閉部材は、「入賞口を閉鎖する起立姿勢」及「入賞口を開放する前傾姿勢」の間で適宜、姿勢変更を行うことが可能とされている。そして、この開閉部材の姿勢は、入賞口の開放許容条件の不成立時に起立姿勢とされ、入賞口の開放許容条件の成立時に前傾姿勢とされる。
【０００８】
ここで、「通常遊技状態」とは、入賞口の開放許容条件を継続的に不成立とし、「入賞口の閉鎖状態を継続する遊技状態」を指す。また、「大当り遊技状態」とは、入賞口の開放許容条件を、所定回数に渡って間欠的に成立させ、「入賞口の開放状態を、間欠的に実現させる遊技状態」を指す。また、以下の説明において、開閉部材の姿勢を、起立姿勢から前傾姿勢に変更し、再び、起立姿勢に戻す動作、つまり、入賞口を開閉する動作を、「単位動作」と称することがある。
【０００９】
このセブン機では、「始動入賞装置への遊技球の入賞（以下、「始動入賞」という。）」を検出することを前提として、前述の「判定」の実行条件（つまり、判定実行条件）が成立する。更に、この「判定の結果を示す図柄（判定結果図柄）」の表示実行条件が成立すると、図柄表示手段において、先ず、演出表示が実行される。この演出表示は、通常、「複数若しくは単一の識別図柄（つまり、特別図柄）」を順次、循環表示することを内容とする表示（つまり、変動表示）である。そして、この演出表示を所定の変動時間行った後に、図柄表示手段において、判定結果図柄が確定表示（停止表示）される。
【００１０】
この判定結果図柄が、大当り図柄（判定結果が大当りであったことを示す図柄）である場合（例えば、「７，７」若しくは「７，７，７」等、構成図柄をゾロ目状態に表示してなる「ゾロ目図柄」である場合や、「７」等の単一の特定図柄である等）には、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位動作」が施される。
【００１１】
つまり、遊技機の遊技状態が「大当り遊技状態（特別遊技状態）」に移行すると、開閉部材の開放動作を行って、閉鎖状態にある大入賞装置を開放状態に変化させる。これにより、入賞口への遊技球の入賞が可能となる。この後、この入賞口に所定個数の遊技球が入賞するか、所定時間が経過することにより、一旦、開閉部材の閉鎖動作を行い（開閉部材の姿勢を起立姿勢に戻し）、大入賞装置を閉鎖状態とし、開閉部材に施される「１回の単位動作」を完了する。つまり、開閉部材の姿勢を閉鎖姿勢から開放姿勢に変更し、再び、閉鎖姿勢に戻す、単位動作を完了する。そして、この「開閉部材の単位動作」が、所定の回数（所謂、「ラウンド数」）だけ繰り返されると、この遊技機の遊技状態は「大当り遊技状態」から「通常遊技状態」に戻される。
【００１２】
ところで、この種の遊技機には、遊技球を内部に取り入れるための取入口（球取入部）と、遊技球を内部から取り出すための取出口（球取出部）とを有すると共に、取入口から取り入れた遊技球を転動させて通過されるための球通路部を内部に備える遊技機用部品が、多数組み込まれている。例えば、上皿部材の背面部（後面部）には上皿部材に貯留されている遊技球を、１球ずつ発射装置に送り出すための「遊技機用部品」、つまり、「球送り装置」が装着されている。
【００１３】
この「球送り装置」は、通常、外郭を構成する部品本体と球送り部材とを備えている。この部品本体は、上皿部材から導出される遊技球を取り入れるための取入口（球取入部）と、この取り入れた遊技球を発射装置の方向に取り出すための発射装置側の取出口（球取出部）と、この取り入れた遊技球を下皿部材の方向に取り出すための下皿部材側の取出口とを備える。また、部品本体の内部には、取入口から取り入れた遊技球を発射装置側の取出口（球取出部）に向かって通過させるための球通路部（レール状の球通路部）が形成されている。
【００１４】
ところで、この種の遊技用部品においては遊技球が転動する部分（例えば、球通路部の床面）に対して、「遊技球に付着していた汚れや異物」が移行して、この床面を汚すことがある。このように、床面に汚れ等が付着すると、遊技機内での「球詰まり」等の温床となることがある。このため、パチンコホールの店員等が、「遊技用部品における遊技球が転動する部分の全域」を、綿棒等で丹念に清掃することが必要であるが、その場合、清掃の手間が多くなる。つまり、通常、パチンコホールには、多数の遊技機が設置されているが、これらの遊技機において、「遊技用部品における遊技球が転動する部分の全域」を綿棒等で清掃することは非常に面倒な作業である。
【００１５】
このような点を考慮して、「遊技機用部品内に、遊技機内を流通する遊技球を研磨するためのブラシ等を配設した遊技機」が提案されている。例えば、「遊技球を貯留する球タンクの底面に駆動源により回転される回転ブラシを設けた遊技機」が提案されている（特許文献１を参照、以下、「従来例」という。）
【特許文献１】特開２００２−１１３２１１号公報
【発明の開示】
【発明が解決しようとする課題】
【００１６】
しかし、この従来例には以下のような問題がある。つまり、この回転ブラシが「遊技機内を流通する遊技球」を研磨（清掃）する際には、回転ブラシから遊技球に摩擦が加わり、遊技機部品内において遊技球が円滑に通過することが困難となる可能性がある。例えば、前述の「球送り装置」の内部に、「遊技球を直接、研磨するための回転ブラシ」を設けると、球送り装置内において遊技球が円滑に通過することができない場合がある。従って、回転ブラシの存在が「球送り装置内の球詰まり」の「新たな原因」となる可能性がある。
【００１７】
本発明は、このような問題を解決するためになされたものであり、その目的とするところは、清掃の手間を低減することができるばかりか、「遊技球の円滑な通過」の妨げとならない清掃部材を備える遊技機用部品と、このような遊技機用部品を備える遊技機を提供することである。
【課題を解決するための手段】
【００１８】
請求項１に記載の遊技機用部品は、
前面部に遊技領域が設けられた遊技盤を備える遊技機に装着される遊技機用部品であって、
遊技球を取り入れるための球取入部と、遊技球を取り出すための球取出部とを具備する部品本体と、
前記部品本体に回転可能に支持されつつ回転軸心を水平方向若しくは傾斜方向に配設した状態とされる回転通路部材と、
静止状態とされる前記回転通路部材の外周部上に前記回転軸心の方向に沿って遊技球を転動させる転動通路部を形成し、該転動通路部によって前記球取入部から前記部品本体に取り入れた遊技球を前記球取出部に向かって通過させるための球通路部若しくは該球通路部の一部を構成するとともに、回転状態の前記回転通路部材の外周部を摺接させて前記回転通路部材の外周部の清掃を行う清掃部材と、を備え、
前記回転通路部材の外形が中心軸を前記回転軸心と一致させた略正多角柱とされ、
前記回転通路部材の外周部を構成する一の面が、鉛直上方若しくは斜め上方から選択される特定方向に向けらときに、該一の面により前記転動通路部を構成するとともに、
前記回転通路部材の回転位置が前記回転通路部材の外周部を構成する何れかの面を前記特定方向に向ける回転位置になったときに係合する、係合部と被係合部とを備えることを特徴とする。
【００１９】
請求項１の発明によると、回転通路部材を回転させるだけで転動通路部に付着した汚れや異物（埃など）の除去を行うことができるため、遊技機用部品内の清掃の手間の低減を図ることができる。また、請求項１の発明の清掃部材は、遊技機用部品内を通過する遊技球に直接、作用するもの（接触するもの）ではないため、「遊技球の円滑な通過」の妨げとならない。従って、請求項１の発明によると、「清掃の手間を低減することができるばかりか、遊技球の円滑な通過の妨げとならない清掃部材」を備える遊技機用部品を得ることができる。
また、請求項１の発明では、回転通路部材の外形を略正多角柱とするため、回転通路部材を回転させて、転動通路部として使用する面を選択する。この際、回転通路部材の回転位置が、何れかの面を特定方向に向ける回転位置であるか否かを、係合部と被係合の係合によって判断することができる。
ここで、係合部と被係合部としては、（１）一方が「つめ（クリック）」で他方が「爪車（ラチェット）である場合（ラチェット機構である場合）や、（２）一方が「ボールプランジャー」で他方が「係合穴」である場合等を例示できる。
【００２０】
遊技機用部品としては、（１）外郭を構成する部品本体と、部品本体内の遊技球を、球取出部を通じて部品本体外に送り出すための球送り部材と、を備える球送り装置（参考発明２を参照）、（２）上皿部材、（３）本体枠の後面部に配設される「裏機構盤」に装着される遊技球タンク、（４）賞球払出装置から払い出される遊技球を上皿部材に向かって誘導する誘導樋等を例示できる。
【００２１】
請求項１の発明の遊技機用部品においては、球通路部の全体が回転通路部材（転動通路部）を用いて構成されてもよいが、球通路部の一部（例えば、球通路部全体の１割〜９割のうちの何れかの割合の部分）が回転通路部材（転動通路部）を用いて構成されてもよい。蓋し、通路部の一部のみであっても回転通路部材を用いて構成すれば、「通路部のうちの綿棒等で清掃しなければならない範囲」を狭くできるからである。尚、パチンコホールには多数の遊技機が設置されているため、たとえ、「個々の遊技機毎の清掃手間（清掃の手間）の軽減量」が僅かでも、パチンコホール全体での「清掃の手間の軽減量」の総和が多くなるため、各請求項の発明の目的を十分に達成できることになる。
【００２２】
各請求項の発明の遊技機用部品においては、球通路部の他に、「遊技球を通過させるための通路部」を備えてもよい。つまり、部品本体に対して、「第２の球取出部」を設けるとともに、球通路部の中間部若しくは終端部に「第２の球通路部」の始端部を合流させてもよい。この場合、「第２の球通路部」の終端部は「第２の球取出部」に連絡されることになる。そして、この「第２の球通路部」にも、各請求項の発明の回転通路部材を配設し、この回転通路部材によって形成される転動通路部によって第２の球通路部若しくは第２の球通路部の一部を構成するとともに、この回転通路部材の外周部の清掃を行う清掃部材を備えることとしてもよい。
【００２３】
各請求項の発明の「清掃部材」としては、例えば、ブラシ、布若しくは板（ブレード状の板）等を例示できる。また、この「清掃部材」は、回転通路部材の外周部の周囲において、この外周部に接触（密着）する状態に配設される。例えば、この「清掃部材」の設置箇所としては、回転通路部材の側方、下方、斜め下方等を例示できる。また、「清掃部材」の設置数は必ずしも１個である必要はなく、複数個であってもよい。尚、各請求項の発明の「外周部」は、回転通路部材の軸心（回転軸心）を基準とする外周部である。つまり、回転通路部材の外面（表面）のうちで、軸心（回転軸心）回りに周回する部位が外周部である。
【００２４】
本明細書において参考的に開示する第１の発明（以下、参考発明１という。）に係る遊技機は、請求項１に記載の遊技機用部品において、
前記回転通路部材を回転操作するため回転操作部を前記部品本体の外部に露呈する状態に備えることを特徴とする。
【００２５】
参考発明１によると、遊技機用部品を遊技機に取り付けたままの状態で転動通路部の清掃を行うことができる。従って、参考発明１によると、遊技機用部品内の清掃の手間を更に低減することができる。
【００２９】
本明細書において参考的に開示する第２の発明（以下、参考発明２という。）に係る遊技機は、請求項１に記載の遊技機用部品において、
外枠と、
外枠に開閉可能な状態に装着されつつ前記遊技盤を保持する本体枠と、
前記本体枠の前面部に開閉可能な状態に装着される上皿部材と、
前記本体枠に装着される発射レールと、
前記発射レールの発射位置に配設される遊技球を前記遊技領域に向かって打ち出すための発射装置と、
を備える遊技機において前記上皿部材の後面部に装着されるとともに、
前記上皿部材から排出された遊技球が、前記球取入部を通じて前記部品本体に受け入れられ、
前記部品本体には、前記球通路部を通過した遊技球を１球ずつ前記発射位置に向かって送り出すための球送り部材が設けられることを特徴とする。
【００３０】
参考発明２の発明は遊技機用部品の具体例を例示するものであり、「球送り装置」への適用例を示している。
【００３１】
参考発明２の適用対象となる遊技機は、「本体枠の前面部のうちで上皿部材の装着位置よりも下方に配置される下皿部材」を備えてもよい。そして、参考発明２は遊技機用部品（つまり、球送り装置）の部品本体には、「球取入部を通じて部品本体に取り入れた遊技球」を下皿部材の方向に取り出すための「下皿部材側の球取出部（前述の「第２の球取出部」の一具体例を構成する。）」を備えてもよい。更に、球通路部の中間部若しくは終端部に始端部と、「下皿部材側の球取出部」と、を接続するための副通路部（前述の「第２の球通路部」の一具体例を構成する。）を備えてもよい。
【００３２】
この場合、副球通路部にも、各請求項の発明の回転通路部材を配設し、この回転通路部材によって形成される転動通路部によって副球通路部若しくは副球通路部の一部を構成するとともに、この回転通路部材の外周部の清掃を行う清掃部材を備えることとしてもよい。但し、副球通路部は、球通路部（球取入部から部品本体に取り入れた遊技球を球取出部に向かって通過させるための球通路部であるが、以下の説明では、「主球通路部」と称することがある。）に比べて遊技球の通過頻度が低くなる。このため、主球通路部及び副球通路部を有する遊技機用部品（つまり、球送り装置）においては、主球通路部及び副球通路部のうちの主球通路部のみに回転通路部材と、清掃部材とを配設したとしても、「遊技機用部品内の清掃の手間」の低減を十分に行うことができる。
【００３３】
請求項２に記載の遊技機は、
請求項１に記載の遊技機用部品を備えることを特徴とする。
【００３４】
請求項２の発明によると、「清掃の手間を低減することができるばかりか、遊技球の円滑な通過の妨げとならない清掃部材を備える遊技機用部品」を具備した遊技機を得ることができる。
【００３５】
ここで、遊技機は、例えば、（１）設置部位に設置される外枠と、（２）外枠の左右方向に沿った一側に、開放動作が可能な状態で装着される本体枠と、（３）この本体枠の保持部によって、前面部を遊技者の方向に向けた状態で、しかも、着脱自在な状態に保持される遊技盤と、（４）遊技盤の前面部を覆う透明板（通常、ガラス板）を具備し、本体枠の前面部側に開放動作が可能な状態で装着される表扉部材（ガラス扉枠、若しくは、前面枠と称することがある。）と、（５）本体枠の前面部側のうちで、表扉部材の装着位置よりも下方側の部位に、開放動作が可能な状態で装着される上皿部材と、（６）本体枠の前面部側のうちで、上皿部材の下方の部位に配置される下皿部材等を備えている。
【００３６】
また、下皿部材は、通常、本体枠に対して開閉不可能とされ、本体枠と一体で外枠に対して開閉可能とされる。また、本体枠の後面部には、所謂「裏機構盤」が配設されている。この裏機構盤は、各種の基板（主制御基板、演出制御基板、電源ターミナル基板、端子基板、払出制御基板等）と、遊技球タンクと、払出装置（以下、「賞球払出装置」と称することもある。）と、誘導樋（払出装置から払い出される遊技球を上皿部材等に向かって誘導する誘導樋）等を備える。
【００３７】
遊技機は、このように多数の構成部品を備えるが、各請求項の発明に係る遊技機用部品は、これらの構成部品（本体枠、遊技盤、表扉部材、上皿部材、下皿部材、タンクレール、誘導樋、裏機構盤等）の何れか１個若しくは２個以上に装着される部品であってもよいし、これらの主要構成部品の何れかに装着される他の構成部品に対して装着される部品であってもよい。更に、各請求項の発明に係る遊技機用部品が、これらの構成部品自体であってもよい。
【００３８】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、表扉部材（カラス扉枠）、上皿部材、下皿部材等の扉型の部材（左右方向に沿った一側が軸支され、開閉可能とされる部材）の「左」、「右」、「前」、「後」等は、これらの扉型の部材が使用状態にある場合、つまり、閉鎖された状態にある場合を基準としたものである。
【発明の効果】
【００３９】
以上記述したように、請求項１の発明によると、清掃の手間を低減することができるばかりか、「遊技球の円滑な通過」の妨げとならない清掃部材を備える遊技機用部品を得ることができる。また、請求項２の発明によると、このような遊技機用部品を備える遊技機を得ることができる。
【発明を実施するための最良の形態】
【００４０】
以下、発明を実施するための最良の形態を示す実施例について図面に基づいて説明する。以下に示す各実施例では、各請求項に係る発明を、「セブン機」と称する遊技機（パチンコ機）１に適用した具体例について説明する。
【００４１】
（１）機械的な構造
ａ．遊技機の前面側の全体構造
先ず、この遊技機１の全体構造について、図１〜図１２を参照して説明する。この遊技機１は、図１及び図２に示すように、外枠２と、この外枠２に装着された遊技機本体Ｈと、を備えている。
【００４２】
外枠２は、図１に示すように、略矩形状の枠状体によって構成される外枠本体２１と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００４３】
遊技機本体Ｈは、図１にすように、外枠２の左端側上下のヒンジＨ１、Ｈ２を用いて、外枠２の左端側に回動自在に組み付けてられている。この遊技機本体Ｈは、遊技機１のうちで外枠２を除く部分であって、本体枠３と、ガラス扉枠（前面枠）４と、受皿扉体（所謂、上皿部材）５と、下皿部材６と、遊技盤１０（図１３を参照）と、裏パック１０２（図１５を参照）等を主要部としている。
【００４４】
本体枠３は、全体がプラスチック製であり、図３に示すように、外枠２の内側に嵌めこまれ、外枠２に対して開閉可能に軸支されている。つまり、本体枠３の左端側の上下が、外枠２に対して軸支され、外枠２に対して開閉可能とされている。また、図３及び図４に示すように、本体枠３のうちで上方側及び中間側の部位には、その前後を貫通する状態に窓部３Ｍが設けられている。そして、本体枠３の後面部のうちで、この窓部３Ｍを取り囲む部位からは、遊技盤１０が挿入される保持用突出部３３ｇが突出している。この保持用突出部３３ｇは、本体枠３の後方に突出しつつ、略矩形型の枠形状に構成され、遊技盤１０に厚みに相当する奥行き（前後幅）を有している。
【００４５】
この保持用突出部３３ｇは、その後方から、遊技盤１０（図１３参照）を受け入れて保持する。この保持用突出部３３ｇに保持される遊技盤１０は、その前面部１０ａが前方に向けられる。そして、この前面部１０ａの主要の部位（遊技領域１１を形成する部位を含む主要な部位）が、窓部３Ｍを通じて、本体枠３の前方から視認可能とされている。
【００４６】
本体枠３の右端側の後面部であって、保持用突出部３３ｇの右側方に位置する部位に、施錠装置７が装着されている（図３を参照）。この施錠装置７は、上下に長尺状とされており（図４を参照）、その前面部を、本体枠３の後面部に当接させた状態で本体枠３に装着されている。この施錠装置７の前面部では、上端部側と中間部とにおいて、係合部（ガラス扉枠施錠用の係合部）７Ｋ、７Ｋを前方に突出させている（図４を参照）。
【００４７】
図４及び図８に示すように、本体枠３の前面部３ａのうちで下方側の部位には、遊技球を遊技盤１０に発射するための発射装置ユニット７０（後述する。）と、遊技球を発射装置ユニット７０に供給するための球送り装置８０（後述する。）と、発射装置ユニット７０から発射された遊技球を外レール１２（後述する。）に向かって誘導する発射レール５５等が配設されている。尚、発射レール５５は、本体枠３の下方側の前面部において、左方向に向かって上がり傾斜状に設けられている。そして、遊技盤１０の背面部には、裏パック１０２（図３及び図１５参照）が装着され、この背面部を覆う状態とされている。尚、遊技盤１０等の詳細に関しては後述する。
【００４８】
図４に示すように、本体枠３の右端部において、上方側の部位と、中間側の部位には、各々、貫通孔３ｂ、３ｃが設けられている。これらの貫通孔３ｂ、３ｃは、本体枠３の前面部及び後面部を貫通する状態に設けられ、各貫通孔３ｂ、３ｃには、係合部７Ｋが挿通されている。このため、係合部７Ｋは、本体枠３の前面部において、その右端部の上方側の部位と、中間側の部位とか、前方に突出する状態とされている。
【００４９】
ガラス扉枠（前面枠）４は、図５に示すように、本体枠３の前面部側において開閉動作可能な状態に配置されている。つまり、図１及び図２に示すように、本体枠３の左端部の上下が、ヒンジｈ１、ｈ２を介して、本体枠３の左端部に支持されている。また、ガラス扉枠４は、図３及び図５に示すように、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００５０】
扉枠本体４１は、レンズ状のプラスチックを主体に構成され、円形状の開口部４１ａを有している。この開口部４１ａは、扉枠本体４１の前面部及び後面部を貫通する状態に設けられている。そして、ガラス扉枠４を閉じた状態としたときに、ガラス扉枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図１３参照）の形状に対応して、略円周状に開設されている。また、ガラス板４３は、開口部４１ａにおいて、その後端側に位置する部位に、はめこまれている。このため、ガラス扉枠４の前方から、開口部４１ａを覗き込むと、ガラス板４３を透かして、ガラス扉枠４の後方を視認可能とされている。
【００５１】
扉枠本体４１の後面部において、図５に示すように、開口部４１ａの右側方に位置する部位（以下、「右側方部位」という。）からは、２つの係合突起４５、４５が突出している。これらの係合突起４５、４５は、右側方部位の上端部側と、下端部側とから、扉枠本体４１の後方に突出する状態に配設されている。また、両係合突起４５、４５は、略Ｌ字状の板状体を用いて構成され、突端部を、扉枠本体４１の右側方に向けている。
【００５２】
この係合突起４５、４５と、前述の係合部７Ｋとによって、「係合機構」の具体例を構成する。つまり、前述の施錠装置７は、ガラス扉枠施錠部材７Ｂ（図６を参照）と、ガラス扉枠施錠部材７Ｂを上方に付勢するためのバネ部材と（図示を省略）と、を備えている。このうち、ガラス扉枠施錠部材７Ｂは、上下に長尺な略帯板状に構成されると共に、前端面から略フック形状に構成された係合部７Ｋを突設させている。また、係合部７Ｋは、係合本体部７５６ａと、導入部７５６ｂとを、前方から後方に、この順で備えている。このうち、より後方に位置する導入部７５６ｂでは、その上端面が後端部に向かうに従って下り傾斜となる「下り傾斜面」としている。また、導入部７５６ｂよりも前方に位置する係合本体部７５６ａは、導入部７５６ｂに比べて凹んだ、係合用凹部７５６ｃを用いて構成されている。
【００５３】
「本体枠３に対して開放状態」にあるガラス扉枠４を、「本体枠３に対して閉鎖状態」にすると、図６（ａ）に示すように、係合部７Ｋが係合突起４５、４５に係合し、ガラス扉枠４は本体枠３に施錠される。つまり、ガラス扉枠４を開放状態から閉鎖状態に変化させる途中に、図６（ｂ）に示すように、上方の「係合突起４５」は、上方の「係合部７Ｋ」の導入部７５６ｂの上端面に摺動し、下方の「係合突起４５」は、下方の「係合部７Ｋ」の導入部７５６ｂの上端面を摺動する。
【００５４】
このとき、導入部７５６ｂの上端面は、各「係合部７Ｋ」の後端部に向かうに従って下り傾斜となる「下り傾斜面」とれているため、各「係合突起４５」が対応する係合本体部７５６ａに近づくことで、係合部７Ｋ（ガラス扉枠施錠部材７Ｂ）は下方に押圧される。つまり、ガラス扉枠施錠部材７Ｂは、バネ部材の付勢力に対抗しつつ、下方に移動（スライド）するが、各「係合突起４５」が対応する係合本体部７５６ａに近づくに従って、係合部７Ｋ（ガラス扉枠施錠部材７Ｂ）の下方への移動量が多くなる。そして、各「係合突起４５」が対応する係合本体部７５６ａに係合本体部７５６ａに到達したところで、各「係合部７Ｋ」は、バネ部材の付勢力によって上昇し｛図６（ｂ）の矢印Ｕを参照｝、係合部７Ｋが係合突起４５に係合し、ガラス扉枠４が本体枠３に対して施錠された状態となる｛図６（ａ）を参照｝。
【００５５】
尚、ガラス扉枠４を解錠する場合、所定の鍵を用いて施錠装置７を操作し、ガラス扉枠施錠部材７５０を、バネ部材の付勢力に対抗しつつ、下方に移動させると、係合部７Ｋの係合突起４５に対する係合を解除される。この状態で、ガラス扉枠４を手前に引くと、ガラス扉枠４を本体枠３に対して全開状態とすることができる。
【００５６】
図２に示すように、ガラス扉枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅したりする。
【００５７】
図１及び図２に示すように、ガラス扉枠４の上端部側の左右には、各々、スピーカーＳＰ１、ＳＰ２（図１７参照）が内蔵されている。また、本遊技機１においては、前板部２２の左右両端にも、スピーカーＳＰ３、ＳＰ４（図１７参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００５８】
図１及び図２に示すように、遊技機本体Ｈの前面部のうちで、ガラス扉枠４の下方の部位に、受皿扉体（上皿部材）５と下皿部材６とを備える。つまり、受皿扉体５は、ガラス扉枠４の下方に配置され、下皿部材６は受皿扉体５の下方に配置されている。
【００５９】
上皿部材５は、図７及び図８に示すように、略矩形の板形状に構成される板状部５Ａと、板状部５Ａの前面部から前方に突出する状態に配置される上皿本体５Ｂと、を備えている。また、この板状部５Ａの左端部が、ヒンジ５ｈを用いて本体枠３に支持されている。また、板状部５Ａの左端寄りであって、「本体枠３の上排出口３５」と前後に位置合わせ可能な位置（上皿部材５の閉鎖時に位置合わせ可能な位置）からは球受入部５ｄが突出している。この球受入部５ｄは、図９及び図１０に示すように、略四角柱形状とされると共に、その軸心を後方に向かって上がり傾斜状としている。尚、上排出口３５は、賞球払出装置１０９（後述する。）から払い出される遊技球を遊技機１の前面側に排出するためのものである。
【００６０】
図１、図７及び図８に示すように、板状部５Ａの左端部寄りには、上皿導入口５ｂが前後に貫通する状態に設けられている。この上皿導入口５ｂの後端部（遊技球の通過方向に沿った始端部）は、球受入部５ｄの基端部（遊技球の通過方向に沿った終端部）に接続（連通状に接続）され、上皿導入口５ｂの前端部（遊技球の通過方向に沿った終端部）は、上皿本体５Ｂの内側（板状部５Ａの前方）で開放（開口）されている。このため、賞球払出装置１０９（後述する。）から払い出される遊技球は、球受入部５ｄを通過して上皿本体５Ｂは内に導入される。
【００６１】
板状部５Ａの右端部寄りには、図７、図８及び図１０に示すように、球抜き用導出口５ｇが、前後に貫通する状態に設けられている。また、図１０に示すように、板状部５Ａの後面部において、球抜き用導出口５ｇの左右の２カ所には取付具５ｖ、５ｖが装着されている。この取付具５ｖ、５ｖは、球送り装置８０を板状部５Ａの裏面部に取り付けるためのものである（図９を参照）。この球送り装置８０は、各請求項の発明の「遊技機用部品」の具体例を構成するものであり、内部を球抜き用導出口５ｇの後端部（上皿部材５の裏側に位置する端部）と連通させている。尚、球送り装置８０の詳細については後述する。
【００６２】
図１０に示すように、板状部５Ａの後面部であって、球送り装置８０の取付られる部位には、弁体５ｗが突出する状態に装着されている。この弁体５ｗは、板状部５Ａに設けられた取付孔に対して前後に進退可能な状態とされている｛図２５（ｂ）を参照｝。そして、付勢手段（バネ等）によって後方で付勢されているため（図示を省略）、通常は、板状部５Ａの後面部の後方に突出している。但し、付勢手段の付勢力に対抗しつつ前進することで、板状部５Ａの後面部からの突出量を少なくする（突出量を「ゼロ」にしてもよい。）。また、弁体５ｗの上面部５ｘは右方向に下る傾斜面とされている。
【００６３】
上皿本体５Ｂは、図７に示すように、上方に開口する皿形状を備えており、主要部を構成する上皿貯留部５Ｄと、その他の部位を構成する上皿棚部５Ｅとを備えている。このうち、上皿貯留部５Ｄは、前述の上排出口３５を通じて上皿部材５に排出される（払い出される）遊技球を貯留するための部位であり、上皿本体５Ｂの左側に偏った位置に設けられている。また、この上皿貯留部５Ｄは、上皿本体５Ｂの上方に開口する凹部によって構成され、前述の上皿導入口５ｂの前端部（遊技球の通過方向に沿った終端部）は、この上皿貯留部５Ｄの内部に向かって開放（開口）されている。また、上皿貯留部５Ｄの底面部５ｐは右方向に向かって下り傾斜となる傾斜面とされている。
【００６４】
上皿棚部５Ｅの上面部は、上皿貯留部５Ｄの開口部に略面一で、略平滑とされ、この上面部には、「球貸操作部５ｃ」と、操作スイッチＳＷとが配置されている。また、上皿棚部５Ｅの内部には、上皿貯留部５Ｄと球抜き用導出口５ｇとを連絡するための抜き球導出通路５ｊが設けられている。この抜き球導出通路５ｊの一端部は、「上皿貯留部５Ｄの底面部５ｐ」の右端部に向かって開口し、この右端部と接続（連通状に接続）されている。また、この抜き球導出通路５ｊの他端部は、球抜き用導出口５ｇに接続（連通状に接続）されている。更に、抜き球導出通路５ｊは、一端部から他端部に向かって、緩やかな下り傾斜状とされている。
【００６５】
図７に示すように、上皿本体５Ｂの前面部には、前述の弁体５ｗを操作するための球抜きボタン５Ｎが配置されている。そして、遊技者が、この球抜きボタン５Ｎを操作すると（例えば、押圧すると）、前述の「弁体５ｗ」が前進するため、球抜き用導出口５ｇを通じて上皿部材５から排出される遊技球は下皿部材６に向かって排出される。この点に関しては後述する。
【００６６】
尚、この上皿部材５の外郭部分は、レンズ状のプラスチックを主体され、上皿部材５の内部にも、ＬＥＤ基板４ｉが内蔵されている（図２を参照）。また、上皿部材５の裏側（板状部５Ａの後面部）には、球貸表示基板４１０（図１６参照）及び演出ボタン基板２２８（図１７参照）が設けられている。
【００６７】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【００６８】
発射ハンドル９は、発射装置ユニット７０に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。尚、発射装置ユニット７０は「発射装置」の具体例を構成する。
【００６９】
発射装置ユニット７０は、図１１及び図１２に示すように、ベース部材７１と、上端部に打撃部７２ａを設けるとともに下端側がベース部材７１に回動可能な状態に支持された打撃槌７２と、打撃槌７２の回動範囲を規制するためのストッパ７３ａ、７３ｂと、打撃槌７２に打撃力を付与する付勢手段（スプリング若しくはゼンマイ等で構成）７４と、発射モータ（図示を省略）と、発射モータの回転軸７５に固定されたモータカム７６とを備えている。また、打撃槌７２には、モータカム７６が接触することとなる係合部７７が設けられている。
【００７０】
ここで、図１２（ａ）及び（ｂ）は、遊技球Ｙ１が「発射レール５５の下端側に設けられる発射位置５５Ｖ」に供給された状態を図示している。つまり、球送り装置８０から送り出された遊技球Ｙ１が、発射位置５５Ｖに到達している状態を図示している。また、図１２（ｂ）は、打撃槌７２の打撃部７２ａが、発射位置５５Ｖの遊技球Ｙ１を打ち出し可能な位置（以下、「球打撃位置」という。）に到達している状態を図示している。つまり、打撃槌７２の打撃部７２ａが、この「球打撃位置（つまり、発射位置５５Ｖ）」に到達することで、球送り装置８０から発射レール５５の下端部（球発射位置）に供給された遊技球Ｙ１を打ち出すことができる。
【００７１】
付勢手段７４の付勢力（バネ力）は、打撃部７２ａを、図１２（ｂ）に示す「球打撃位置」の方向に移動させように作用している。また、打撃槌７２は、遊技球の発射を行わない通常時において、付勢手段７４の付勢力（バネ力）によりストッパ７３ａ、７３ｂに押しつけられている（図１１の実線を参照）。尚、ストッパ７３ａ、７３ｂにおいて、打撃槌７２と接触する部分は弾性部材によって構成されている。
【００７２】
発射モータ（ステピングモータ）は打撃槌７２と別位置に支持されており、発射モータが回転すると、図１２（ａ）に示すように、その回転軸７５に固定されたモータカム７６が係合部７７を押圧する。これにより、打撃槌７２は、付勢手段７４を圧縮状態としつつ、右回転方向に回転し、打撃部７２ａを「球打撃位置（つまり、発射位置５５Ｖ）」から遠ざける。そして、モータカム７６の回転角が特定の角度となると、モータカム７６と係合部７７との係合が外れるため、打撃槌７２は付勢手段７４の付勢力を用いて振り出される。つまり、打撃槌７２は、ストッパ７３ａ、７３ｂに接触するまで左回転方向に回転する。
【００７３】
この振り出しにより、打撃部７２ａは、勢いの付けられた状態にて「球打撃位置」に到達するため、打撃槌７２は、球送り装置８０から発射位置５５Ｖに供給された遊技球Ｙ１を打ち出すこと（打撃すること）ができる｛図１２（ｂ）を参照｝。そして、発射装置ユニット７０では、発射モータが１回転する毎に遊技球が１球ずつ発射されるが、発射モータが連続的に回転することで、遊技球を連続的に発射することができる。
【００７４】
また、前述の施錠装置７は、正面視すると鍵穴を備えた略長方形状を呈し、ガラス扉枠４を閉鎖した場合に施錠するためのものである。更に、遊技機１の左端側には、プリペイドカードユニットが設けられている（図示を省略）。
【００７５】
ｂ．遊技盤１０の構成
次に、遊技盤１０の構成について、図１３を中心に説明する。この遊技盤１０は、図３に示すように、本体枠３に保持されるとともに、後述する各種制御基板（主制御基板２００、発射制御基板２６０等）２００Ｋと、裏パック１０２（図１３参照）により、その背面側が覆われている。また、遊技盤１０は、正面視で略矩形状の合板を用いて構成される遊技盤本体１０Ａと、この遊技盤本体１０Ａに装着される各種の盤部品（外側レール１２、内側レール１３、メイン役物装置２０等）とを備えている。尚、この遊技盤本体１０Ａの前面部には、セル画が印刷されたシート状物が貼着されている（図示を省略）。
【００７６】
遊技盤本体１０Ａは、の前面部（つまり、遊技盤１０の前面部１０ａ）には、レール部材Ｒが配置されている。更に、レール部材Ｒは、外側レール１２と内側レール１３とを備えている。このうち、外側レール１２は、遊技盤１０の前面部１０ａにおいて、「開口部を下方に向けた略円弧形状に配置された帯状の金属板」を用いて構成される。また、内側レール１３は、遊技盤１０の前面部１０ａのうちで、外側レール１２の内側の部位において、「開口部を上方に向けた略円弧形状に配置された帯状の金属板」を用いて構成される。そして、内側レール１３の略全体と、外側レール１２の上部側の部分とによって、略円形のレール部（以下、「領域レール部」という。）ｒが構成される。
【００７７】
この遊技盤１０の前面部１０ａにおいて、領域レール部ｒで包囲される略円形の部位によって遊技領域１１が構成される。つまり、領域レール部ｒは、遊技盤１０の前面部１０ａに構成される遊技領域１１の外縁部Ｇを構成している。また、遊技盤１０の前面部１０ａの左端側において外側レール１２と内側レール１３との間に形成される円弧状の部位によって誘導通路Ｙが構成される。
【００７８】
本遊技機１においては、発射装置ユニット７０によって打ち出され、図１３に示すように、左上がり傾斜状の発射レール５５に沿って上昇した遊技球Ｙ１は、導通路Ｙを経て、「領域レール部ｒ」によって包囲された遊技領域１１に向かって打ち出される構造となっている。尚、本願においては、遊技球を図示する場合には、符号「Ｙ１」を付して示す。
【００７９】
遊技領域１１には、メイン役物装置２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車１９等が配設されている。
【００８０】
メイン役物装置２０は、取付部材（化粧板）２１と、中央表示装置２７とを備えている。このうち、取付部材２１は、領域形成部１０Ｂの前面部に装着される板状体によって構成され、遊技領域１１の上半部のうちで、左端側を除く部位を構成している。この取付部材（化粧板）２１には、窓部形成孔２１ｄが設けられている。そして、この窓部形成孔２１ｄは、正面視で略矩形状の表示窓２１ｅを構成している。
【００８１】
取付部材２１の頂部から右側縁部の下端に至る部位は、外側レール１２に近接し、頂部から左側縁部の上端に至る部位には、上部装飾部材２１ｎが前方に突出する状態に装着されている。また、取付部材２１の左側縁部には、左側装飾部材２１ｑが前方に突出する状態に装着され、取付部材２１の下縁部には、ステージ部材２１ｐが前方に突出する状態に装着されている。
【００８２】
左側装飾部材２１ｑは、内部に遊技球通路（図示を省略）が形成された造形物２１ｒを備えている。この遊技球通路の進入口は、左斜め上方に向かって開口し、遊技領域１１を流下する遊技球を、この進入口で受け入れ、メイン役物装置２０の内部に進入させる。
【００８３】
ステージ部材２１ｐは、その上面部によって、遊技球の転動面を構成する。この転動面は、左右の端部から中央部に向かって下する傾斜面として構成されている。但し、転動面の中央部では、上方に向かって僅かに隆起する隆起部とされている。また、ステージ部材２１ｐには、転動面上の遊技球を、メイン役物装置２０の外部に排出するための排出通路が設けられている。尚、排出通路の入口部２１ｕは、転動面の中央部の背後において、この中央部と連続する位置で開口し、排出通路の出口部２１ｖは、この中央部よりも下方の位置で開口している。
【００８４】
本実施例では、遊技領域１１を流下し、メイン役物装置２０の内部に進入した遊技球は、転動面の左端部に到達し、転動面上を右方向に転動し、更に、左方向に転動する。そして、遊技球の勢いを衰えたところで、この遊技球は、排出通路を通過してメイン役物装置２０外に排出されるか、或いは、転動面の前縁部から、メイン役物装置２０外に排出される。尚、出口部２１ｖの直下に、後述する始動入賞装置１７が位置している。
【００８５】
中央表示装置２７は画像表示装置の具体例を構成するものである。また、この中央表示装置２７は液晶表示装置を用いて構成されると共に、遊技盤本体１０Ａに対して、その後方から装着されている。更に、この中央表示装置２７の表示画面２７ａは前方に向けられると共に、表示窓２１ｅに内側に挿入されている。このため、この表示画面２７ａは、遊技盤本体１０Ａの前面部よりも後方に位置しつつ、表示窓２１ｅを通じて前方から視認可能とされている。
【００８６】
この中央表示装置２７は、後述する右下表示装置６０と同様に、判定結果図柄を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、中央表示装置２７の表示画面２７ａは可変状態に用いられ、その全体、若しくは、一部を用いて種々の図柄を表示可能である。
【００８７】
普通図柄作動ゲート（普通図柄作動口）１６は、遊技領域１１において、メイン役物装置２０の左側方に位置する部位に配設されている。また、この普通図柄作動ゲート（普通図柄作動口）１６内には普通図柄作動ゲート通過検出スイッチ１６ｓ（図１６参照）が配設されている。そして、普通図柄作動ゲート通過検出スイッチ１６ｓを遊技球が通過することを前提に、「普通図柄の変動開始条件」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７（後述する。）が、所定時間（例えば、０．５秒）開放駆動される。
【００８８】
始動入賞装置１７は、ステージ部２１ｄの排出路の直下に位置する部位に配設されている。そして、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路の出口部２１ｖの直下に位置するため、排出通路を通過した遊技球は、この第１の始動口を通じて、始動入賞装置１７に入賞する確率が高くされている。
【００８９】
第２の始動入賞部１７ｂは、第１の始動入賞部１７ａの直下に位置すると共に、入口側部分に、普通電動役物が配置されている。この普通電動役物は、いわゆるチューリップ式で左右に一対の翼片部が開閉するべく形成されている。つまり、第２の始動入賞部１７ｂは、この一対の翼片部を作動させるための普通電動役物ソレノイド１７ｃ（図１６参照）を備えている。そして、この一対の翼片部が左右に開くと、遊技球の入球可能性が大きくなる開放状態となり、一対の翼片部が立設され、遊技球の入球可能性が小さくなる通常状態となる。
【００９０】
始動入賞装置１７の内部には、第１の始動入賞部１７ａ、若しくは、第２の始動入賞部１７ｂを遊技球の通過を検出する始動入賞検出スイッチ１７ｓ（図１６参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【００９１】
下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、「大入賞口入賞通路（大入賞口３１ａから入賞する遊技球を通過させるための通路であり、図示を省略する。）」に連絡されている。
【００９２】
そして、可変入賞装置（大入賞装置）３１は、この大入賞口３１ａを開放・閉鎖するための開閉板３１ｂと、この開閉板３１ｂを駆動するための大入賞口ソレノイ３１ｃ（図１６参照）と、大入賞口入賞通路の経路途中若しくは経路端末部に設けられた入賞球検出スイッチ３１ｓ（図１６参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【００９３】
左下表示装置５０は、可変入賞装置（大入賞装置）３１の左側方に配置されている。この左下表示装置５０は、図１４（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【００９４】
普通図柄保留表示部５２は、２個のＬＥＤを用いて構成され、所謂「普通図柄に関する保留数」を、４個を上限として表示する。また、特別図柄保留表示部５３も、２個のＬＥＤを用いて構成され、所謂「特別図柄に関する保留数」を、４個を上限として表示する。更に、遊技状態表示部５５は、２個のＬＥＤ５５ａ、５５ｂを用いて構成され、遊技機１の現在の遊技状態（遊技状態が通常遊技状態である旨、遊技状態が確変遊技状態である旨等）を表示するために用いられる。また、普通図柄表示部５６は、１個のＬＥＤ５６ａを用いて構成され、「普通図柄作動ゲート（普通図柄作動口）１６に伴う当否抽選の結果の表示」を、変動表示（本実施例では、ＬＥＤを用いて点滅表示）を経て実行する。
【００９５】
右下表示装置６０は、可変入賞装置（大入賞装置）３１の右側方に配置されている。この右下表示装置６０は、図１４（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【００９６】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、「７個のＬＥＤ６２ａ〜６２ｇ」を順次、点灯させる。具体的には、略長円状に配設された「７個のＬＥＤ６２ａ〜６２ｇ」において、この「略長円状を周回する方向に沿って、７個のＬＥＤ６２ａ〜６２ｇ」が点灯するされることを内容とする
【００９７】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【００９８】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。
【００９９】
図１４（ａ）に示すように、２個の一般入賞装置４０、４１は、左下表示装置５０を構成する取付板５１に一体化され、図１４（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図１４参照）が配設されている。
【０１００】
尚、多数の障害釘（図示を省略）は、以上説明した各盤部品との位置バランスを考慮して、遊技領域１１にパチンコ遊技に適するべく、配設されている。尚、遊技盤１０の下方にはアウト口１８が設けられている。更に、アウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【０１０１】
本遊技機１では、前述のように、上皿扉体５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１０２】
ｃ．遊技機１の裏面構造
次に、本実施例の遊技機１の裏面構造について図１５を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【０１０３】
裏パック１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１０４】
賞球タンク１０５には底部にタンクスイッチが設けられており、球切れを検出することができる。また、賞球タンク１０５と賞球払出装置１０９とは、タンクレール１０６によって接続されている。更に、図１３において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図１５は、図示が煩雑となることを避けるために、振り分け部の表示は省略されている。
【０１０５】
主制御基板ケース、中継端子板や、払出制御基板ケース１１８等の各種基板類は、裏パック１０２に回動自在に懸架された図示しない金属板に、着脱自在に装着されている。
【０１０６】
裏パック１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。
【０１０７】
また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏パック１０２の略中央下端部には、下皿部材用球通路部材が設けられている。
【０１０８】
（２）制御回路の構成
次に、図１６〜図１８を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１０９】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１１０】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図１６〜図１８中の矢印の向きは、データあるいは信号を入出力する方向を表している。また、図１４においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１１１】
主制御部２００Ａ（主制御基板２００）は、普通図柄作動ゲート通過検出スイッチ１６ｓ、始動入賞検出スイッチ１７ｓ、入賞球検出スイッチ４０ｓ、４１ｓ、４３ｓ、４４ｓ等から遊技球の検出信号を受け取って、遊技の基本的な進行や賞球に関わる当否を決定した後、演出制御部２２０Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１１２】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示制御基板２２２やスピーカーＳＰ１〜ＳＰ４を駆動するアンプ基板２２４が接続されている。
【０１１３】
演出制御部２２０Ａ（演出制御基板２２０）は、「各種ＬＥＤ４ｂ〜４ｈ搭載された基板」等の各種装飾用基板を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１１４】
払出制御部２４０Ａ（払出制御基板２４０）は、所謂、貸球や賞球の払い出しに関する各種の制御を司っている。例えば、遊技者が受皿扉体５に設けられた球貸スイッチ５ｅや返却スイッチ５ｆを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１１５】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１１６】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１１７】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。
【０１１８】
加えて、「ガラス扉枠スイッチ４ｓ」から出力される検知信号（ガラス扉枠４が開放動作を行ったことを示す検知信号）も、払出制御部２４０Ａ（払出制御基板２４０）に入力されている。このため、何らかの理由でガラス扉枠４が明けられた場合には、賞球の払い出し、或いは、遊技球の球貸し等の動作を中止することが可能となっている。尚、「ガラス扉枠４が明けられる理由」としては、「正当な行為者（パチンコホールの店員等）が、ガラス扉枠４に開放動作を施したという理由」の他に、「不正行為者がガラス扉枠４をこじ開けたという理由」や、、「不正行為者が不正に入手した鍵等を利用して、ガラス扉枠４に開放動作を施したという理由」等を例示できる。
【０１１９】
また、払出制御部２４０Ａ（払出制御基板２４０）は、主制御部２００Ａ（主制御基板２００）からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１２０】
主制御部２００Ａ（主制御基板２００）には、遊技機に関する情報（信号）を、遊技機１の外部に出力するための外部端子部（外部出力用端子基板）２００Ｇが接続されている。この外部端子部２００Ｇから出力される情報（信号）としては、大当り情報（大当り信号）、確率変動情報（確率変動信号）、賞球情報（賞球信号）等の遊技状態を示す情報（信号）を例示できる。そして、これらの情報（信号）は、ホールコンピュタＨＰＣに送信され、「不正行為の監視」や「パチンコホールにおける営業上の集計」等のために利用される。
【０１２１】
尚、前述の「ガラス扉枠スイッチ４ｓ」は、中継端子板２８０を介して払出制御部２４０Ａ（払出制御基板２４０）に接続されている。しかも、払出制御部２４０Ａ（払出制御基板２４０）と主制御部２００Ａ（主制御基板２００）とが双方向通信可能な状態に接続されている。このため、「ガラス扉枠スイッチ４ｓ」から出力される検知信号（ガラス扉枠４に開放動作が施されたことを示す検知信号）は、中継端子板２８０と、払出制御部２４０Ａ（払出制御基板２４０）とを介して、主制御部２００Ａ（主制御基板２００）に送信される。そして、外部端子部（外部出力用端子基板）２００Ｇを経てホールコンピュタＨＰＣに送信される。よって、パチンコホール側は、「当該遊技機１（当該検知信号の発信源の遊技機１）のガラス扉枠４に開放動作が施されたこと」を認識することができる。つまり、パチンコホール側は、当該パチンコホールに設置された多数の遊技機１の中から、「ガラス扉枠４に対して開放動作が施されている遊技機１」を特定することができる。
【０１２２】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【０１２３】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰで出力する効果音、更には、（ｃ）各種ＬＥＤやランプ類４ｂ〜４ｆの点灯若しくは点滅の具体的な態様を決定する。次いで、中央表示装置２７の駆動信号（各種の図柄制御コマンド）を演出表示制御部２２２Ａ（演出表示制御基板２２２）に出力して、演出用図柄の変動停止表示を行う。このとき、表示されるキャラクタ図柄や背景図柄などの一部データについては、中央表示装置（液晶表示装置）２７、或いは、演出表示制御基板２２２に内蔵された演出表示ＲＯＭ２７ｒに格納されているデータを使用する。
【０１２４】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤ４ｂ〜４ｈの駆動信号を出力することによって、各種ＬＥＤ４ｂ〜４ｈやランプ類の点灯・点滅動作等を制御する。更に、受皿扉体５の前面側に設けられた操作スイッチＳＷを遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１２５】
（３）球送り装置の説明
【０１２６】
球送り装置８０は、図１９及び図２０に示すように、装置本体８１と、装置本体８１に揺動可能な状態に支持された球送り部材８７と、装置本体８１に回転可能に支持された回転通路部材８８と、回転通路部材８８を回転操作するための回転操作部材８８Ｄと、装置本体８１に支持された清掃部材９０とを備える。尚、図１９は球送り装置８０の概略的な正面図であり、図２０は球送り装置８０の概略的な背面図である。
【０１２７】
装置本体８１は、「部品本体」の具体例を構成するものである。また、この装置本体８１は透明な樹脂を用いて作成された一体成形品であり、横長の略矩形の正面形状に構成されている。この装置本体８１は、図１９及び図２１を用いて示されるように、外縁壁８２と、後壁８３（図２４を参照）と、左取付壁８４Ｌと、右取付壁８４Ｒと、右下部壁８５ａと、補強壁８５ｂと、通路壁８６とを備えている。尚、図２１は、装置本体８１における「左取付壁８４Ｌ及び右取付壁８４Ｒの背後を縦断する縦断面図（図２４のｂ−ｂ断面に相当）」である。
【０１２８】
後壁８３は装置本体８１の後面部のうちで以下の部分に形成されている。つまり、以下の説明においては、便宜上、図２１に示すように、装置本体８１を、左端側に位置する左領域部８１Ｌと、中央に位置する中央領域部８１Ｃと、右端側に位置する右領域部８１Ｒとに３分割（実施例では略３等分）する。そして、後壁８３は、中央領域部８１Ｃの略全域と、左領域部８１Ｌの上端部寄りの部位と、右領域部８１Ｒの略下半部とに設けられている。
【０１２９】
換言すると、後壁８３は中央領域部８１Ｃの略全域を構成する中央部８３Ｃと、左領域部８１Ｌの上端部寄りの部位を構成する左方部８３Ｌと、右領域部８１Ｒの略下半部を構成する右方部８３Ｒと、を備えている。そして、装置本体８１の後面部８１Ｂのうちのその他の部位、つまり、「左領域部８１Ｌの略上半部」と、「右領域部８１Ｒにおいてその上端部寄りを除く部位」には、後壁部８３が存在せず、開放部（開口部）８１ｄ、８１ｅとされている。
【０１３０】
図２１に示すように、右方部８３Ｒの左端側の上部には、球送り口８３ｄが形成されている。この球送り口８３ｄは、「球取出部」の具体例を構成する。また、この球送り口８３ｄは右方部８３Ｒをその肉厚方向を貫通する状態に形成されており、球送り装置８０内の遊技球を発射レール５５上に送り出すための出口として機能する。尚、図２３に示すように、後壁８３において球送り口８３ｄの周縁に位置する部位には筒状の突出部８３ｕが形成されている。そして、この突出部８３ｕの内周部下端側が、後方に下り傾斜となる案内面８３ｖとされている。
【０１３１】
中央部８３Ｃの左端側下部には、球排出口８３ｅが形成されている。この球排出口８３ｅは、「下皿部材側の球取出部（第２の球取出部）の一具体例を構成する。また、球排出口８３ｅは、中央部８３Ｃをその肉厚方向を貫通する状態に形成されており、球送り装置８０内の遊技球を下皿部材６に向かって排出するための排出口として機能する。
【０１３２】
図１９に示すように、左取付壁８４Ｌは、「装置本体８１の前面部８１Ｆにおいて、左領域部８１Ｌにおいてその上端部寄りを除く部位」の前方（つまり、左側の開口部８１ｄの前方）に位置する部位に配設され、右取付壁８４Ｒは、「装置本体８１の前面部８１Ｆにおいて、略上半部の前方（つまり、右側の開放部８１ｅの前方）」に位置する部位に配設されている。そして、装置本体８１の前面部８１Ｆのうちで、左取付壁８４Ｌ及び右取付壁８４Ｒを除く部位には、壁部が存在せず、開放部８１ｆとされている。また、左取付壁８４Ｌには取付孔８４１Ｌが肉厚方向に貫通する状態に形成され、右取付壁８４Ｒにも、取付孔８４１Ｒが肉厚方向に貫通する状態に形成されている。
【０１３３】
外縁壁８２は、図２１に示すように、「装置本体８１の上縁部の全域」と、「装置本体８１の左側縁部の全域」と、「装置本体８１の右側縁部の下端側を除く部位」と、「装置本体８１の下縁部のうちので左領域部８１Ｌの前方に位置する部位」とに配設されている。この外縁壁部８２は略帯板状とされつつ、装置本体８１の外縁部に沿って配設されている。
【０１３４】
図２１に示すように、右下部壁８５ａは、後壁８３の下縁部よりも後壁８３の内側（上方）に位置する部位に配設されている。この右下部壁８５ａは、その右端部を外縁壁８２の右端側下部と一体としつつ、右領域部８１Ｒの前方に配設されている。また、右下部壁８５ａの左端部には、後述する球送り部材８５の回動動作（傾動動作）を規制するストッパ部８５ｃが形成されている。また、右下部壁８５ａの左端部（つまり、ストッパ部８５ｃ）は球送り口８３ｄの下方に位置している。
【０１３５】
図２１に示すように、「後壁８３のうちで右下部壁８５ａの下方に位置する部位」が装置本体８１の前方に露出して、球送り部材８５の取付部８３ｔを構成している。この取付部８３ｔが、横長の略矩形の正面形状を呈しつつ、装置本体８１の前方に露出している。尚、取付部８３ｔの右端側には、球送り部材８７の取付孔（図示を省略）が形成されている。
【０１３６】
図２１に示すように、通路壁８６は、後壁８３の前面部から突出するリブ状に構成され、主通路形成部８６ａと、副通路形成部８６ｂとを備えている。尚、補強壁８５ｂは、後壁８３の前方に突出するリブ状に構成され、装置本体８１の補強を行っている。
【０１３７】
図１９に示すように、主通路形成部８６ａと後述する回転通路部材８８とともに、「後壁８３の前面略中央部から球送り口８３ｄに向かう右下り傾斜状の通路部（つまり、主球通路部）８６Ａを形成している。この通路部（つまり、主球通路部）８６Ａは、「球通路部」の具体例を構成するものである。
【０１３８】
図２１に示すように、主通路形成部８６ａは、右下り傾斜状に配設される主通路床部８６１ａと、この主通路床部８６１ａの上方に右下り傾斜状に配設される主通路天井部８６２ａと、主通路床部８６１ａ及び主通路天井部８６２ａの左端部間に配設される左端壁８６３ａと、主通路床部８６１ａ及び主通路天井部８６２ａの右端部間に配設される右端壁８６４ａとを備えている。
【０１３９】
主通路床部８６１ａ及び主通路天井部８６２ａとの間には、遊技球が通過可能な間隔があけられているとともに、主通路床部８６１ａ、主通路天井部８６２ａ、左端壁８６３ａ及び右端壁８６４ａの「前方への突出量」は遊技球の直径を超えるものとされている。
【０１４０】
主通路形成部８６ａの左端部側はその上下幅が上方に拡大（主通路形成部８６ａの他の部位に比べて拡大）されて、遊技球を前方から受け入れる球受け入れ部８６ｃを形成している｛図２５（ａ）を参照｝。そして、球受け入れ部８６ｃから主通路形成部８６ａにで受け入れた遊技球が、上方に漏れ出ることを主通路天井部８６２ａによって防止し、主通路形成部８６ａの左方に漏れ出ることを左端壁８６３ａによって防止し、主通路形成部８６ａの右方に漏れ出ることを右端壁８６４ａによって防止している。尚、球受け入れ部８６ｃは「球取入部」の一具体例を構成する。
【０１４１】
図２１に示すように、主通路床部８６１ａの右端部と、右下部壁８５ａの左端部との間には、挿入用の空間部８６５ａが形成されている。また、主通路床部８６１ａには、その経路方向に沿って２つの切り欠き部８６６ａ、８６７ａが形成されている。これらの切り欠き部８６６ａ、８６７ａは、略矩形の開口形状とされつつ、主通路床部８６１ａを上下に貫通する状態に形成されている。そして、左側に位置する切り欠き部８６６ａが回転通路部材８８の装着部位を構成し、右側に位置する切り欠き部８６７ａによって、「副通路形成部８６ｂが合流することになる合流部８６ｆ」を構成している。
【０１４２】
図２１に示すように、主通路形成部８６ａの右端部側の部分（以下、「主終端部８６Ｄ」という。）は、前述の「球送り口８３ｄ」と前後に位置合わせされている。そして、主通路形成部８６ａを通過し、主終端部８６Ｄに到達した遊技球は、球送り口８３ｄを通じて球送り装置８０の後方へ取り出される。また、図２３に示すように、主通路天井部８６２ａの左端側の下部（主通路天井部８６２ａにおいて主終端部８６Ｄを構成する部分の下部）には、軸心を左右に向け、曲率中心を後方側に配設した略円弧状の曲板部を用いて構成される案内板部８６２ｋが配設されている。この案内板部８６２ｋは、主終端部８６Ｄに進入した遊技球を後方（球送り口８３ｄ）に向かって円滑に誘導するためのものである。また、前述のストッパ部８５ｃと、挿入用の空間部８６５ａは、主終端部８６Ｄの直下に位置している。
【０１４３】
副通路形成部８６ｂは、図１９に示すように、合流部８６ｆから球排出口８３ｅに向かう左下り傾斜状の通路部（つまり、副球通路部）８６Ｂを形成している。この副通路形成部８６ｂは、図２１に示すように、左下り傾斜状に配設される副通路床部８６１ｂと、この副通路床部８６１ｂの上方に左下り傾斜状に配設される副通路天井部８６２ｂと、副通路床部８６１ｂ及び副通路天井部８６２ｂの左端部間に配設される左端壁８６３ｂとを備えている。尚、副通路床部８６１ｂ及び副通路天井部８６２ｂの右端部は、合流部８６ｆにおいて主通路形成部８６ａに向かって開放されている。
【０１４４】
副通路床部８６１ｂ及び副通路天井部８６２ｂとの間には、遊技球が通過可能な間隔があけられているとともに、副通路床部８６１ｂ、副通路天井部８６２ｂ、左端壁８６３ｂの「前方への突出量」は遊技球の直径を超えるものとされている。
【０１４５】
図２１に示すように、左端壁８６３ｂは、装置本体８１の左端側において上下に形成された補強壁８５ｂの下端側の部分に一体化されている。この左端壁８６３ｂは、軸心を上下に向け、曲率中心を右方側に配設した略円弧状の曲板部を用いて構成されている。また、副通路形成部８６ｂの左端部側の部分（以下、「副終端部８６ｇ」という。）は、球排出口８３ｅと前後に位置合わせされている。そして、副通路形成部８６ｂを通過して副終端部８６ｇに到達した遊技球は、球排出口８３ｅを通じて球送り装置８０の後方へ取り出される｛図２６（ａ）を参照｝。
【０１４６】
図２１及び図２４に示すように、後壁８３の前面部において、切り欠き部８６６ａの左端縁部の斜め左下に位置する部位と、切り欠き部８６６ａの右端縁部の斜め右下に位置する部位からは、軸受用突起部８３ｇ、８３ｈが突出している。また、後壁８３の前面部において、左側の軸受用突起部８３ｇの左側に位置する部位からも、軸受用突起部８３ｊが突出している。これらの軸受用突起部８３ｇ、８３ｈ、８３ｊは、軸受部材Ｊ１、Ｊ２、Ｊ３を内蔵しているが、これらの軸受部材Ｊ１、Ｊ２、Ｊ３の軸心の方向は、同一線上に並べられている。つまり、主通路床部８６１ａの経路方向と平行な線上に並べられている。
【０１４７】
回転通路部材８８は、樹脂を用いて構成される一体成形品であり、図２２、図２４及び図２６（ｂ）に示すように、外形が略正四角柱とされている。この回転通路部材８８は、図２２に示すように、四角柱の上下面（以下、「端面」という。）８８Ｕ、８８Ｖを横方向に向けた状態で、装置本体８１に配設されている。また、この回転通路部材８８の軸心位置には挿入孔８８ａが設けられ、この挿入孔８８ａには軸体８８ｂが挿入されている。この軸体８８ｂは、各端部を回転通路部材８８の各端面の側方に突出させるとともに、回転通路部材８８と一体回転可能とされている。例えば、回転通路部材８８に設けられる雌型のセレーションと、軸体８８ｂに設けられる雄型のセレーションとを用いたセレーション嵌合等を用いて、軸体８８ｂと回転通路部材８８とが一体回転可能とされている。
【０１４８】
図２２に示すように、軸体８８ｂの軸心長は、回転通路部材８８の軸心長よりも長く（例えば、２倍）されているが、軸体８８ｂの回転通路部材８８の右側方への突出部８８ｄの全長は僅かなものとされ、軸体８８ｂの回転通路部材８８の左側方への突出部８８ｅの全長は長く（略回転通路部材８８の軸心長に相当する長さ）されている。そして、右側方への突出部８８ｄが、右端の軸受用突起部８３ｈの軸受部材Ｊ２によって回転可能な状態に支持される。また、左側方への突出部８８ｅの基端部が中央の軸受用突起部８３ｇの軸受部材Ｊ１によって回転可能な状態に支持され、左側方への突出部８８ｂの中間部が左端の軸受用突起部８３ｊの軸受部材Ｊ３によって回転可能な状態に支持されている。
【０１４９】
このようにして、回転通路部材８８は装置本体８１によって回転可能な状態に支持されている。この回転通路部材８８は、図２６（ｂ）に示すように、外周部に４つの側面８８Ａ、８８Ｂ、８８Ｃ、８８Ｄを有しているが、その軸心（Ｚ１）回りに回転することで、何れかの側面（例えば、側面８８Ａ）を主通路床部８６１ａの上面と略面一（つまり、略同一平面上に並べること）にすることができる。｛図２２及び図２７（ａ）を参照｝。そして、４つの側面８８Ａ、８８Ｂ、８８Ｃ、８８Ｄのうちで、主通路床部８６１ａと略面一とされたものが、転動通路部８８Ｔを構成する。この転動通路部８８Ｔは、回転通路部材８８の軸心（Ｚ１）に沿って遊技球を転動させることができる。
【０１５０】
但し、本実施例では、図２４及び図２５に示すように、回転通路部材８８の外形が正四角柱であるため、その回転半径を考慮して、転動通路部８８Ｔの前端縁と切り欠き部８６６ａの前端縁との間に隙間部Ｓ１を形成し、転動通路部８８Ｔの後端縁と切り欠き部８６６ａの後端縁との間にも隙間部Ｓ２を形成している。この隙間部Ｓ１、Ｓ２の幅（前後方向に沿った幅）は、遊技球が落下したり、はまり込まない大きさ｛例えば、遊技球の直径（１１ｍｍ）の２／３以下の幅｝とされる。
【０１５１】
軸体８８ｂの左端部８８Ｌは、図２４に示すように、左取付壁８４Ｌの後方に到達している。換言すると、装置本体８１の裏面部の左側に設けられた開放部（開口部）８１ｄを通じて後方に露呈している。そして、この軸体８８ｂの左端部８８Ｌには回転操作部材８８Ｄが装着され、軸体８８ｂと一体で回転可能とされている。この回転操作部材８８Ｄとしては、外周部に滑り止め用の溝を備える摘み部材（セレーション溝のような溝を備える摘み部材）を例示できる。このため、本球送り装置８０においては、装置本体８１の外部から回転操作部材８８Ｄを操作すると、回転通路部材８８を回転させることができる。
【０１５２】
清掃部材９０は、図２２に示すように、後壁８３の前面部から突出する支持突起８３ｍ、８３ｎを用いて、回転通路部材８８の下方に支持されている。尚、一方の支持突起８３ｍは中央の軸受用突起部８３ｇの直下に位置し、他方の支持突起８３ｎは、右端の軸受用突起部８３ｊの直下に位置している。
【０１５３】
清掃部材９０は、図２２及び図２７に示すように、左右の支持突起８３ｍ、８３ｎによって両端部を支持されたブラシ台部９１と、ブラシ台部９１の上面部に植設されたブラシ部（毛部）９２とを備えている。また、図２７に示すように、ブラシ台部９１の上面部には、略半柱状（軸心を主通路形成部８６ａと平行にした略半柱状）の「逃がし用凹部９１ｂ」が形成されている。この「逃がし用凹部９１ｂ」は、回転通路部材８８の外形が正四角柱であることを考慮して設けられたものである。つまり、回転通路部材８８の外周部（４つの側面８８Ａ、８８Ｂ、８８Ｃ、８８Ｄ）と、ブラシ台部９１の上面部との距離を短くしつつも、回転する回転通路部材８８の外周部（隣合う側面８８Ａ、８８Ｂ、８８Ｃ、８８Ｄが接合される部分）と、ブラシ台部９１の上面部とが衝突することを回避できる。
【０１５４】
ブラシ部（毛部）９２は、ブラシ台部９１の上面部側に下端部を埋設させつつ、ブラシ台部９１の上面部の上方に突出する状態に配設されている。このブラシ部（毛部）９２は、ブラシ台部９１の上面部の略全域に植設されている。そして、ブラシ部（毛部）９２の上端部は、回転通路部材８８のうちで下方側に位置する部位に接触した状態とされている。このため、図２７に示すように、回転通路部材８８が回転すると、ブラシ部（毛部）９２はその上端部に回転通路部材８８の外周部（４つの側面８８Ａ、８８Ｂ、８８Ｃ、８８Ｄ）を摺接させることになる。
【０１５５】
球送り部材８７は、図２８に示すように、取付部８３ｔに揺動可能な状態に支持された本体部８７ａと、本体部８７ａの左端部に設けられた押し上げ部８７ｂと、本体部８７ａの右端部に装着された重し部８７ｃとを備えている。
【０１５６】
本体部８７ａはクランク状に形成されるとともに、左右方向に沿った中間部に装着されたピン８７ｄ（突端部を取付部８３ｔの取付孔に装着したピン８７ｄ）を用いて揺動可能な状態に支持されている。また、押し上げ部８７ｂの上端部（突端部）８７１ｂは挿入用の空間部８６５ａに挿入されている。更に、本体部８７ａの右端部には、後方に開口する取付穴８７ｆが形成されている。
【０１５７】
重し部８７ｃは、略円板状とされるとともに軸心位置に貫通孔８７１ｄを備える重し本体８７ｄと、貫通孔８７１ｄに挿入される取付軸８７ｅと、を備えている。この取付軸８７ｅの一端部（前端部）は取付穴８７ｆに嵌合され、本体部８７ａの右端部に対して回転不能な状態とされている。また、取付軸８７ｅの中間部は貫通孔８７１ｄに遊入され（遊びをもった状態で挿入され）、取付軸８７ｅの他端部（後端部）は、重し本体８７ｄの後方に突出している。更に、取付軸８７ｅの他端部（後端部）には、止め輪（Ｃリング等）８７１ｅが装着され、取付軸８７ｅの貫通孔８７１ｄからの抜け止めが図られている。そして、重し本体８７ｄは「本体部８７ａの右端部」の後方において、取付軸８７ｅによって、回転可能な状態に支持されている。
【０１５８】
球送り部材８７は、右端部に重し部８７ｃが装着されているため、図２８（ａ）及び図２９に示すように、通常、右端部を下方に下げ、左端部を上方に持ち上げようとする挙動を示す。つまり、図２８（ａ）の矢印「Ａ」に示すように、ピン８７ｄを回転中心として右回転方向に回転しようとする（右端部を下方に押し下げるように傾動する）が、本体部８７ａの右端側上面部を、ストッパ部８５ｃに対して下方から当接させることで、右回転方向に回転を停止させる（以下、この状態を「通常状態」という。）。このとき、押し上げ部８７ｂの上端部８７１ｂは、挿入用の空間部８６５ａを通じて、主終端部８６Ｄの内部まで到達する。一方、図３０に示すように、重し本体８７ｄを上方に持ち上げると、球送り部材８７はピン８７ｄを回転中心として左回転方向に回転するため、押し上げ部８７ｂを主終端部８６Ｄの内部から排除することができる。
【０１５９】
以上の球送り装置８０においては、図９に示すように、左取付壁８４Ｌの取付孔８４１Ｌに左側の取付具５ｖを挿入し、右取付壁８４Ｒの取付孔８４１Ｒに右側の取付具５ｖを挿入し、左取付壁８４Ｌ及び右取付壁８４Ｒを、上皿部材５の板状部５Ａの裏面部に当接させる。そして、左右の取付具５ｖ、５ｖを９０度、回転させ、左取付壁８４Ｌ及び右取付壁８４Ｒを板状部５Ａに固定すると、球送り装置８０を上皿部材５の後面部に固定することができる。
【０１６０】
球送り装置８０が、このように固定されると、上皿部材５の板状部５Ａの裏面部で開口する球抜き用導出口５ｇが、球受け入れ部８６ｃと前後に位置合わせされた状態となる｛図２５（ａ）を参照｝とともに、合流部８６ｆに弁体５ｗが進入する｛図１９及び図２５（ｂ）を参照｝。また、上皿部材５が閉鎖状態されることで、球送り口８３ｄが発射レール５５の下端部と前後に位置合わせされ（図２３を参照）、球排出口８３ｅが「通路部材（図示を省略）」を介して下皿部材６と連通する。つまり、球排出口８３ｅと、通路部材の入口部とが前後に連通する状態となる。
【０１６１】
球送り装置８０が板状部５Ａに固定されることによって合流部８６ｆに進入する弁体５ｗの上面部５ｘは、右方向に下る傾斜面を構成する（図１０及び図１９を参照）。そして、主通路床部８６１ａの上面部と、回転通路部材８８の外周部（４つの側面８８Ａ、８８Ｂ、８８Ｃ、８８Ｄ）の上面部と、弁体５ｗの上面部５ｘが略同一線上（右下り傾斜線）に並ぶ状態となる（図２３及び図２４を参照）。しかも、副通路形成部８６ｂ（通路部８６Ｂ）が合流部８６ｆに進入した弁体５ｗによって、主通路形成部８６ａ（通路部８６Ａ）から遮断された状態（遊技球の受け取りが不能な状態）となる（図１９を参照）。
【０１６２】
このとき、主通路形成部８６ａ内の遊技球は、図２９に示すように、一律に、主終端部８６Ｄに向かって転動する。従って、主通路形成部８６ａ内の遊技球は、一列に並ぶ状態となる。ところが、発射装置ユニット７０が駆動を停止している場合には、主終端部８６Ｄの内部に押し上げ部８７ｂの上端部８７１ｂが進入しているため、主通路形成部８６ａの先頭に位置する遊技球Ｙ１が、主終端部８６Ｄ内に進入することができない。
【０１６３】
一方、図１１及び図１２に示すように、発射装置ユニット７０が駆動を開始すると（発射モータが回転を開始すると）、モータカム７６が発射モータの回転軸７５と一体で回転を開始する。ところで、回転軸７５には連結機構（例えば、リンク機構を例示できるが、図示を省略する。）を介して連動レバー９５が連係（接続）されている。
【０１６４】
連動レバー９５は、図２８に示すように、略Ｔ字形状に構成され、略水平に配設される本体部９５ａと、本体部９５ａの中間部から下方に垂下する垂下部９５ｂとを備えている。そして、本体部９５ａの一端部９５ｃが軸支されるとともに、本体部９５ａの他端部９５ｄが、重し本体８７ｄを支持することが可能とされている。また、垂下部９５と回転軸７５とは、前述の連結機構（リンク機構等）を介して接続されているため、連動レバー９５は、本体部９５ａの一端部９５ｃを支点として回動することができる。
【０１６５】
すなわち、発射モータの回転軸７５が回転すると、連動レバー９５は本体部９５ａの一端部９５ｃを支点として回動することが可能であり、回転軸７５が回転することで、「本体部９５ａの他端部９５ｄを略水平にする状態（図２９に示す状態であって、以下、「基本状態」という。）と、右上がり傾斜とする状態（図３０に示す状態であって、以下、「右上がり傾斜状態」という。）とを交互に繰り返す。
【０１６６】
つまり、打撃槌７２が、その打撃部７２ａを「球打撃位置」に到達させている場合には、連動レバー９５は「基本状態」とされている。このとき、球送り部材８７は通常状態とされ、押し上げ部８７ｂの上端部８７１ｂは、挿入用の空間部８６５ａを通じて、主終端部８６Ｄの内部まで到達する状態とされる。このため、「主通路形成部８６ａ内において主終端部８６Ｄの手前側に位置する遊技球Ｙ１」は、押し上げ部８７ｂの上端部８７１ｂに邪魔をされ、主終端部８６Ｄに進入することができない。
【０１６７】
一方、打撃槌７２が、その打撃部７２ａを「球打撃位置」から遠ざけると、図３０に示すように、連動レバー９５の状態が「右上がり傾斜状態」に変化するため、本体部９５ａの他端部９５ｄが、重し本体８７ｄを上方に押し上げる。これにより、球送り部材８７はピン８７ｄを回転中心として左回転方向に回転するため、押し上げ部８７ｂが主終端部８６Ｄの内部から排除される。このため、「主通路形成部８６ａ内において主終端部８６Ｄの手前側に位置する遊技球Ｙ１」のうちの先頭のものが、主終端部８６Ｄに進入する。
【０１６８】
そして、打撃槌７２がその打撃部７２ａを再び「球打撃位置（発射位置５５Ｖ）」に到達させる直前に、連動レバー９５が「基本状態」に戻される。このため、押し上げ部８７ｂの上端部８７１ｂは主終端部８６Ｄに進入するが、その際、図２３（ｂ）に示すように、押し上げ部８７ｂの上端部８７１ｂは「主終端部８６Ｄ内の遊技球Ｙ１」を押し上げる。そして、この押し上げられた遊技球は、案内面８３ｖに案内されて、発射レール５５の下端部に移動する。この遊技球は、その後、「球打撃位置（発射位置５５Ｖ）」に到達する打撃部７２ａによって打ち出される。そして、発射装置ユニット７０及び球送り装置８０が以上の動作を繰り返すことで、上皿部材５から供給される遊技球は、遊技領域１１に向けて連続的に発射される。
【０１６９】
また、遊技者等が、上皿部材５内の遊技球を下皿部材６に移行させたい場合（球抜きを行いたい場合）には、球抜きボタン５Ｎを操作する（押圧する）。これによって、前述の「弁体５ｗ」が前進し、図３０に示すように、合流部８６ｆから排除されるため、副通路形成部８６ｂと主通路形成部８６ａとの遮断状態が解除される。そして、合流部８６ｆが、主終端部８６Ｄよりも手前側に設けられているため、主通路形成部８６ａ内の遊技球ばかりが、上皿部材５内の遊技球も順次、副通路形成部８６ｂを通過する。そして、副終端部８６ｇを通じて球送り装置８０の外部に排出される。更に、図示しない通路部材を通過して下皿部材６に到達する。
【０１７０】
（４）実施例の効果
【０１７１】
本実施例によると、回転通路部材８８を回転させるだけで転動通路部８８Ｔに付着した汚れや異物（埃など）の除去を行うことができるため、球送り装置８０内の清掃の手間の低減を図ることができる。特に、本実施例では、回転通路部材８８を回転操作するための回転操作部８８Ｄが、球送り装置８０の背面部で露呈する。従って、球送り装置８０を上皿部材５に取り付け状態のままで、転動通路部８８Ｔの清掃を行うことができるため、球送り装置８０内の清掃の手間を更に低減することができる。
【０１７２】
また、清掃部材９０は、球送り装置８０内を通過する遊技球に直接、作用するものではないため、「遊技球の円滑な通過」の妨げとならない。従って、本実施例によると、清掃の手間を低減することができるばかりか、「遊技球の円滑な通過」の妨げとならない清掃部材９０を備える球送り装置８０を得ることができる。
【０１７３】
更に、本実施例では、転動通路部８８Ｔの前端縁と切り欠き部８６６ａの前端縁との間に隙間部Ｓ１が形成され、転動通路部８８Ｔの後端縁と切り欠き部８６６ａの後端縁との間にも隙間部Ｓ２が形成されている。このため、回転通路部材８８を、角柱形状しつつも、その回転を円滑に行うことができる。しかも、転動通路部８８Ｔ上に異物が存在しても、この異物を、これらのＳ１、Ｓ２を通じて回転通路部材８８の下方に排除することができる。つまり、これらのＳ１、Ｓ２は、「異物を逃がすための手段」として機能する。
【０１７４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１７５】
即ち、図３２（ａ）の変形例１に示すように、装置本体８１に係合部８１Ｋを設け、軸体８８ｂ（回転通路部材８８でもよい。）に被係合部８８Ｋを設けるとともに、回転通路部材８８の回転位置が、特定の回転位置のときに、係合部８１Ｋを被係合部８８Ｋに係合させてもよい。
【０１７６】
つまり、この変形例１では、装置本体８１に装着された爪８１０Ｋによって係合部８１Ｋを構成する。また、軸体８８ｂ（回転通路部材８８でもよい。）に対して同心状で、しかも、一体回転可能な状態に装着された爪車（ラチェット）８８０Ｋを用いて被係合部８８Ｋを構成する。つまり、爪車（ラチェット）８８０Ｋの外周部に等間隔に４個形成された溝（鋸刃状の溝）８８０Ｍを用いて被係合部８８Ｋを構成している。
【０１７７】
この変形例１においては、回転通路部材８８の何れかの側面８８Ａ、８８Ｂ、８８Ｃ、８８Ｄを上方に向けたとき、爪８１０Ｋが何れかの溝８８０Ｍに係合させる。このため、この変形例１によると、作業者は、何れかの側面８８Ａ、８８Ｂ、８８Ｃ、８８Ｄが転動通路部８８Ｔを構成する回転位置に回転操作されたことを、爪８１０Ｋと溝８８０Ｍの係合によって把握すること（例えば、目視、係合するときの音、係合するときの手感触等で把握すること）ができる。そして、この変形例１によると、回転通路部材８８を正しい回転位置に回転させ、回転通路部材８８の何れかの側面８８Ａ、８８Ｂ、８８Ｃ、８８Ｄと、主通路床部８６１ａとを略面一な状態とすることができるため、球送り装置８０内における遊技球の円滑な通過を担保できる。
【０１７８】
また、請求項１の発明において、係合部８１Ｋと被係合部８８Ｋとを「ラチェット機構」以外で構成することもできる。例えば、図３２（ｂ）の変形例２に示すように、装置本体８１に装着されたボールプランジャ８９０のボール８９１によって係合部８１Ｋを構成し、回転通路部材８８の端面に設けられた穴８８１によって被係合部８８Ｋを構成してもよい。
【０１７９】
また、各請求項の発明においては、図３３の変形例３に示すように、転動通路部８８Ｔの上方の両端部に、ガイド部８８１Ｇ、８８２Ｇを設けることもできる。このガイド部８８１Ｇ、８８２Ｇは、前方に位置するガイド部８８１Ｇは、上皿部材５の後面部から後方に突出しつつ隙間部Ｓ１の鉛直上方に位置し、後方に位置するガイド部８８２Ｇは装置本体８１の後壁８３の前面部から前方に突出しつつ隙間部Ｓ２の鉛直上方に位置している。そして、両ガイド部８８１Ｇ、８８２Ｇは前後に対向しつつ転動通路部８８Ｔの経路方向に沿って形成さている。
【０１８０】
この変形例２によると、隙間部Ｓ１、Ｓ２の幅（前後幅）を大きくしても、転動通路部８８Ｔを転動する遊技球が、隙間部Ｓ１、Ｓ２から落下したり、隙間部Ｓ１、Ｓ２にはまり込むことを回避できる。
【０１８１】
また、回転通路部材８８の外形は正四角柱に限定されない。例えば、図３４（ａ）の変形例４に示すように、正八四角柱としたり、図３４（ｂ）の変形例５に示すように、円柱形とすることもできる。また、四角及び八角以外の多角形状（正１０角柱、特に、正１２面体等の多面体）とすることもできる。尚、変形例５によると、回転通路部材８８の回転位置にかかわらずに、回転通路部材８８の常に、同一条件で使用することができる。
【０１８２】
更に、回転通路部材８８の太さ（外径）を、その軸心方向に沿って一定とすることは必ずしも必要とされない。例えば、回転通路部材８８の外形を太鼓形状としたり、鼓形状、円錐形状、角錐形状、円錐台形状、角錐台形状等とすることもできる。
【０１８３】
「清掃部材９０」はブラシ型のもに限定されない。例えば、図３５（ａ）の変形例６のように、円柱状若しくは円筒状の基材９１Ａと、その外周に装着される布部９２Ａとを用いて構成される清掃部材９０Ａを例示することもできる。この清掃部材９０Ａにおいては、布部９２Ａが回転通路部材８８の外周部と接触しているため、回転通路部材８８が回転すると、布部９２Ａが回転通路部材８８の外周部に摺接し、回転通路部材８８の外周部の汚れや異物を取り除くことがができる。
【０１８４】
また、図３５（ｂ）の変形例７のように、ブレードタイプの清掃部材９０Ｂを例示することもできる。この清掃部材９０Ｂにおいては、清掃部材９０Ｂの刃先形状に構成される端部９１Ｂが、回転通路部材８８の外周部と接触しているため、回転通路部材８８が回転すると、端部９１Ｂが回転通路部材８８の外周部に摺接し、回転通路部材８８の外周部の汚れや異物を取り除くことがができる。
【０１８５】
各請求項の発明においては、図３６（ａ）の変形例８のように、清掃部材９０Ｃの清掃を行う部材９５Ｃを付加してもよい。この変形例７においては、清掃部材９０Ｃを回転可能とするとともに、清掃部材９０Ｃの外周部にその清掃を行うための部材９５Ｃを配設している。
【０１８６】
各請求項の発明においては、図３６（ｂ）の変形例９のように、清掃部材９０Ｄの数を複数とすることもできる。また、各請求項の発明においては、変形例９のように、清掃部材９０Ｄの設置される箇所は、回転通路部材８８の下部に限定されず、斜め下方や側方等であってもよい。つまり、この設置箇所を、転動通路部８８Ｔが配設される部位よりも下方において種々選択することができる。
【０１８７】
また、各請求項の発明の「遊技機用部品」は、球送り装置８０に限定されない。例えば、図３７〜図３９に示す変形例１０のように、上皿部材５を「遊技機用部品」とすることができる。つまり、上皿貯留部５Ｄの底面部５ｐに平面形状が略矩形の取付用凹部５００ｐを形成する。尚、この変形例１０においては、板状部５Ａ及び上皿本体５Ｂが「部品本体」の具体例を構成し、球受入部５ｄが「球取入部」の具体例を構成する。また、球抜き用導出口５ｇが「球取出部」の具体例を構成する。
【０１８８】
変形例１０においては、この取付用凹部５００ｐの奥側に清掃部材９０Ｅを配設し、取付用凹部５００ｐの入口側に、略円柱状の外形を備える回転通路部材８８を軸心を左右に向けて設置する。そして、回転通路部材８８の外周部上に、回転通路部材８８の軸心方向に沿って転動通路部８８Ｔ（レール状の転動通路部８８Ｔ）を形成する。そして、「取付用凹部５００ｐに回転通路部材８８が装着された上皿貯留部５Ｄの底面部５ｐ」と、抜き球導出通路５ｊとによって「球通路部」の具体例が構成される。
【０１８９】
この取付用凹部５００ｐは、上皿貯留部５Ｄの底面部５ｐと上皿部材５の後面部とに開口部５０１ｐ、５０２ｐを備えている。そして、底面部５ｐの略矩形状の開口部５０１ｐから、回転通路部材８８Ｅが露呈する。また、上皿部材５の後面部の開口部５０２ｐを通じて、回転通路部材８８Ｅや清掃部材９０の交換、メンテナンス等を行うことができる。
【０１９０】
この回転通路部材８８Ｅも、その軸心位置に挿通された軸体８８ｂと一体で回転可能とされるとともに、軸体８８ｂのうちで、回転通路部材８８Ｅの両端面から突出する部位が、上皿部材５に内蔵された軸受部材（図示を省略）によって支持されている。このため、回転通路部材８８Ｅは取付用凹部５００ｐ内において回転可能とされている。
【０１９１】
また、軸体８８ｂの一端部（左端部）８８Ｖには、回転操作部材８８Ｘが装着されている。この回転操作部材８８Ｘは、操作用の突起部８８１Ｘを、軸体８８ｂの半径外側方向に突出させている。一方、上皿部材５には、回転操作部材８８Ｘを収納するための収納穴５１０が設けられ、上皿部材５の後面部の開口部５１１で開口しているが、操作用の突起部８８１Ｘの突端は、この開口部５１１を通じて、上皿部材５の後方に突出している。このため、作業者は上皿部材５の後面部の後方で回転操作部材８８Ｘを操作して回転通路部材８８Ｅを回転させることができる。
【０１９２】
変形例１０においても、回転操作部８８Ｘを用いて回転通路部材８８Ｅを回転させると、その外周部が、清掃部材９０を構成するブラシ部（毛部）９２に摺接するため、外周部に付着した汚れ、異物が除去される。
【０１９３】
各請求項の発明の「遊技機用部品」としては、「タンクレール１０６」や、「球送り装置８０及び下皿部材６間に配設される通路部材」などを例示することもできる。
【産業上の利用可能性】
【０１９４】
本発明は、遊技機を製造、販売等する分野において利用できる。
【図面の簡単な説明】
【０１９５】
【図１】本発明の実施例に係る遊技機を示す斜視図である。
【図２】本発明の実施例に係る遊技機を示す正面図である。
【図３】外枠、本体枠、遊技盤、ガラス扉枠及び上皿部材等を示す説明図である。
【図４】本発明の実施例に係る遊技機において、ガラス扉枠を外した状態の模式的な正面図である。
【図５】本発明の実施例に係る遊技機において、ガラス扉枠が開いた状態を示す説明図である。
【図６】本発明の実施例に係る遊技機を構成する係合機構を説明するための説明図である。
【図７】球送り装置、発射ユニット、発射レール、本体枠、遊技盤、ガラス扉枠及び上皿部材等を示す説明図である。
【図８】図７において上皿部材が開いた状態を示す説明図である。
【図９】上皿部材の背面図である。
【図１０】上皿部材の背面図（球送り装置を外した状態）である。
【図１１】発射ユニットの概略的な説明図である。
【図１２】発射ユニットの概略的な説明図である。
【図１３】本発明の実施例に係る遊技機において、遊技盤を示す正面図である。
【図１４】（ａ）は、本発明の各実施例において、左下表示装置の概略的な正面図であり、（ｂ）は、本発明の各実施例において、右下表示装置の概略的な正面図である。
【図１５】本発明の実施例に係る遊技機を示す裏面図である。
【図１６】本発明の各実施例に係る電子制御装置を示すブロック図である。
【図１７】本発明の各実施例に係る電子制御装置を示すブロック図である。
【図１８】本発明の各実施例に係る電子制御装置を示すブロック図である。
【図１９】球送り装置の概略的な正面図である。
【図２０】球送り装置の概略的な背面図である。
【図２１】部品本体における「左取付壁及び右取付壁の背後を縦断する縦断面図（図２４のｂ−ｂ断面に相当）」である。
【図２２】図１９の要部拡大図である。
【図２３】（ａ）及び（ｂ）は球取出部及び発射レールの位置関係等を説明するための説明図である。
【図２４】球送り装置等の要部横断面図である。
【図２５】（ａ）及び（ｂ）は部品本体を説明するための概略的な縦断面図である。
【図２６】（ａ）は部品本体を説明するための概略的な縦断面図であり、（ｂ）は回転通路部材の断面図（図１２のａ−ａ断面に相当）である。
【図２７】（ａ）及び（ｂ）は回転通路部材及び清掃部材等を説明するための概略的な説明図である。
【図２８】（ａ）及び（ｂ）は球送り部材及び連動レバー等を説明するための概略的な説明図である。
【図２９】球送り装置の機能を説明するための概略的な説明図である。
【図３０】球送り装置の機能を説明するための概略的な説明図である。
【図３１】球送り装置の機能を説明するための概略的な説明図である。
【図３２】（ａ）は変形例１を説明するための説明図であり、（ｂ）は変形例２を説明するための説明図である。
【図３３】（ａ）及び（ｂ）は変形例３を説明するための説明図である。
【図３４】（ａ）は変形例４を説明するための説明図であり、（ｂ）は変形例５を説明するための説明図である。
【図３５】（ａ）は変形例６を説明するための説明図であり、（ｂ）は変形例７を説明するための説明図である。
【図３６】（ａ）は変形例８を説明するための説明図であり、（ｂ）は変形例９を説明するための説明図である。
【図３７】変形例１０を説明するための説明図である。
【図３８】変形例１０を説明するための背面図である。
【図３９】変形例１０を説明するための概略的な断面図である。
【符号の説明】
【０１９６】
１；遊技機、
４；ガラス扉枠、
５；上皿部材、
７０；発射装置ユニット（発射装置）、
８０；球送り装置（遊技機用部品）、
８１；装置本体（部品本体）、
８７；球送り部材、
８８；回転通路部材、
８８Ｄ；回転操作部材、
８８Ｔ；転動通路部、
９０；清掃部材。
【図１】
0005115714.tif 000002
【図２】
0005115714.tif 000003
【図３】
0005115714.tif 000004
【図４】
0005115714.tif 000005
【図５】
0005115714.tif 000006
【図６】
0005115714.tif 000007
【図７】
0005115714.tif 000008
【図８】
0005115714.tif 000009
【図９】
0005115714.tif 000010
【図１０】
0005115714.tif 000011
【図１１】
0005115714.tif 000012
【図１２】
0005115714.tif 000013
【図１３】
0005115714.tif 000014
【図１４】
0005115714.tif 000015
【図１５】
0005115714.tif 000016
【図１６】
0005115714.tif 000017
【図１７】
0005115714.tif 000018
【図１８】
0005115714.tif 000019
【図１９】
0005115714.tif 000020
【図２０】
0005115714.tif 000021
【図２１】
0005115714.tif 000022
【図２２】
0005115714.tif 000023
【図２３】
0005115714.tif 000024
【図２４】
0005115714.tif 000025
【図２５】
0005115714.tif 000026
【図２６】
0005115714.tif 000027
【図２７】
0005115714.tif 000028
【図２８】
0005115714.tif 000029
【図２９】
0005115714.tif 000030
【図３０】
0005115714.tif 000031
【図３１】
0005115714.tif 000032
【図３２】
0005115714.tif 000033
【図３３】
0005115714.tif 000034
【図３４】
0005115714.tif 000035
【図３５】
0005115714.tif 000036
【図３６】
0005115714.tif 000037
【図３７】
0005115714.tif 000038
【図３８】
0005115714.tif 000039
【図３９】
0005115714.tif 000040